(57)【要約】【課題】専用のセンサーを用いることなく、原稿サイズを判定する。【解決手段】ＡＤＦユニットのＡＤＦ挿入トレイ２６上をスライド操作が可能な可動ガイド２９ｂと、可動ガイド２９ｂの下面に固定されて可動ガイド２９ｂのスライドに伴って連動する連動機構８２と、連動機構８２の下面に固定されて筐体２１に形成される検出用領域３８との対向面に３つのマーク８４ａが形成された変位部材８４とを備え、検出用領域３８を読み取るよう原稿読取用のセンサーとしてのＣＩＳ７４を制御して、読み取りにより得られる複数の受光素子７５ａの出力パターンと予めＲＯＭに記憶された対応関係とに基づいてセットされた原稿Ｓのサイズを判定する。これにより、専用のセンサーを用いることなく、原稿読取用のセンサーを用いて原稿サイズを判定することができる。【選択図】図６
2012090085.tif 000002
【特許請求の範囲】
【請求項１】
原稿が挿入される挿入部と、
前記挿入部にセットされた原稿を自動搬送する自動搬送機構と、
光電変換用の複数の素子が主走査方向に配列された読取ユニットを有し、該読取ユニットを用いて自動搬送される原稿を読み取るための第１の領域と該第１の領域とは異なる第２の領域とに対する読み取りが可能な読取手段と、
前記挿入部にスライド操作が可能に設けられ、自動搬送される前記原稿の搬送方向に直交するエッジをガイドするエッジガイドと、
該エッジガイドのスライドに機械的に連動する連動機構と、
該連動機構に取り付けられ、該連動機構の連動に伴って移動して前記第２の領域上で位置が変化する変位部材と、
前記複数種の原稿のサイズ毎のサイズ情報と、前記複数の素子の出力パターンとの対応関係を記憶する記憶手段と、
前記第２の領域を読み取るよう前記読取手段を制御し、該読み取りにより得られる複数の素子の出力パターンと前記対応関係とに基づいて前記セットされた原稿のサイズを判定する原稿サイズ判定手段と
を備える原稿読取装置。
【請求項２】
前記セットされた原稿のサイズに応じた読取範囲を設定して自動搬送される前記原稿を読み取る請求項１記載の原稿読取装置。
【請求項３】
自動搬送される原稿の読み取りに加えて、筐体の上部に形成され原稿の載置が可能な領域であって前記第１の領域に副走査方向に並んだ領域を第３の領域として原稿の読み取りが可能な請求項１または２記載の原稿読取装置であって、
前記自動搬送機構は、前記筐体の上部に開閉が可能に取り付けられる筐体カバーに組み込まれ、該筐体カバーの上面側に前記挿入部が形成されてなる機構であり、
前記変位部材は、前記筐体カバーの下面側に配置され、前記連動機構の連動に伴って該筐体カバーの下面に沿って移動する部材である
原稿読取装置。
【請求項４】
請求項３記載の原稿読取装置であって、
前記第２の領域は、副走査方向における前記第１の領域と前記第３の領域との間に形成され、
前記変位部材は、前記筐体カバーが閉状態にされた場合に、前記第２の領域上を主走査方向に移動する部材である
原稿読取装置。
【請求項５】
請求項１ないし３いずれか１項に記載の原稿読取装置であって、
前記読取手段は、前記第１の領域に対して主走査方向に余裕をもった領域の読み取りが可能となるよう前記読取ユニットに前記複数の素子が配列され、該複数の素子が原稿の読み取りを行なう有効素子と該有効素子とは異なる非有効素子とに区画されてなる手段であり、
前記第１の領域は、前記有効素子に対向する領域として形成され、
前記第２の領域は、前記非有効素子に対向する領域として形成され、
前記変位部材は、前記筐体カバーが閉状態にされた場合に、前記第２の領域上を主走査方向に移動する部材であり、
前記連動機構は、前記変位部材の位置の変化が前記第２の領域の範囲内に収まるような減速比をもって前記エッジガイドのスライドを該変位部材に伝達する減速機構を有する機構である
原稿読取装置。
【請求項６】
請求項１ないし５いずれか１項に記載の原稿読取装置であって、
前記変位部材は、前記読取手段との対向面に複数のマークが形成されてなる部材であり、
前記連動機構は、前記変位部材の複数のマークのうち、前記エッジガイドのスライドに応じて前記第２の領域上に異なる数のマークが位置するよう連動する機構であり、
前記記憶手段は、前記対応関係として、前記複数種の原稿のサイズ毎のサイズ情報と、前記第２の領域上に位置するマークの数とを対応付けて記憶する手段であり、
前記原稿サイズ判定手段は、前記第２の領域の読み取りにより得られる前記変位部材のマークの数と前記対応関係とに基づいて原稿のサイズを判定する手段である
原稿読取装置。
【請求項７】
請求項１ないし５いずれか１項に記載の原稿読取装置であって、
前記記憶手段は、前記対応関係として、前記複数種の原稿のサイズ毎のサイズ情報と、前記第２の領域上における前記変位部材の先端のエッジ位置とを対応付けて記憶する手段であり、
前記原稿サイズ判定手段は、前記第２の領域の読み取りにより得られる前記変位部材の先端のエッジ位置と前記対応関係とに基づいて原稿のサイズを判定する手段である
原稿読取装置。
【発明の詳細な説明】
【技術分野】
【０００１】
本発明は、原稿読取装置に関する。
【背景技術】
【０００２】
従来、この種の原稿読取装置としては、トレイにセットされる複数枚の原稿を自動原稿搬送機構（ＡＤＦ）により順次搬送しながら画像読取用のセンサーにより原稿の画像を読み取るものが提案されている（例えば、特許文献１参照）。この装置では、ＡＤＦのトレイにセットされる原稿の幅方向に沿ってスライドが可能な原稿ガイドと、その原稿ガイドのスライド位置を検出するためのサイズ判定用のセンサーとを備えている。そして、装置全体を制御するコントローラーが、サイズ判定用のセンサーの出力に基づいて原稿の幅を検出し、検出した幅に基づいて原稿サイズを判定するものとしている。
【０００３】
また、そのようなＡＤＦを備える原稿読取装置としては、上面に原稿が載せられる原稿台が形成された筐体と、筐体の上部にヒンジ機構を介して開閉可能に取り付けられる筐体カバーとを備える装置において、筐体カバー内にＡＤＦが組み込まれるものも提案されている（例えば、特許文献２参照）。
【先行技術文献】
【特許文献】
【０００４】
【特許文献１】特開２００７−２１７１６０号公報
【特許文献２】特開２０１０−１６１７５６号公報
【発明の概要】
【発明が解決しようとする課題】
【０００５】
上述した装置では、画像読取用のセンサーとサイズ判定用のセンサーとをそれぞれ設けるため、必要なセンサーの数が増加するなど部品点数が増加してしまう。また、それに伴って、コントローラーの入力用ポートも増やす必要がある。さらに、筐体カバー内にＡＤＦが組み込まれるものにおいては、筐体と筐体カバーとを繋ぐヒンジ機構内のわずかなスペースにサイズ判定用のセンサーとコントローラーとを結ぶ配線を這わせなければならず、配線の長さが必要以上に長くなってしまう。このように、サイズ判定用のセンサーを個別に設けると、部品点数が増加するだけでなく、コスト面でも不利となる。
【０００６】
本発明の原稿読取装置は、専用のセンサーを用いることなく、原稿のサイズを判定することを主目的とする。
【０００７】
本発明の原稿読取装置は、上述の主目的を達成するために以下の手段を採った。
【課題を解決するための手段】
【０００８】
本発明の原稿読取装置は、
原稿が挿入される挿入部と、
前記挿入部にセットされた原稿を自動搬送する自動搬送機構と、
光電変換用の複数の素子が主走査方向に配列された読取ユニットを有し、該読取ユニットを用いて自動搬送される原稿を読み取るための第１の領域と該第１の領域とは異なる第２の領域とに対する読み取りが可能な読取手段と、
前記挿入部にスライド操作が可能に設けられ、自動搬送される前記原稿の搬送方向に直交するエッジをガイドするエッジガイドと、
該エッジガイドのスライドに機械的に連動する連動機構と、
該連動機構に取り付けられ、該連動機構の連動に伴って移動して前記第２の領域上で位置が変化する変位部材と、
前記複数種の原稿のサイズ毎のサイズ情報と、前記複数の素子の出力パターンとの対応関係を記憶する記憶手段と、
前記第２の領域を読み取るよう前記読取手段を制御し、該読み取りにより得られる複数の素子の出力パターンと前記対応関係とに基づいて前記セットされた原稿のサイズを判定する原稿サイズ判定手段と
を備えることを要旨とする。
【０００９】
この本発明の原稿読取装置では、原稿が挿入される挿入部にスライド操作が可能に設けられ自動搬送される原稿の搬送方向に直交するエッジをガイドするエッジガイドと、エッジガイドのスライドに機械的に連動する連動機構と、連動機構に取り付けられ連動機構の連動に伴って移動して自動搬送される原稿を読み取るための第１の領域とは異なる第２の領域上で位置が変化する変位部材とを備える。そして、記憶手段に複数種の原稿のサイズ毎のサイズ情報と読取手段の複数の素子の出力パターンとの対応関係を記憶しておき、第２の領域を読み取るよう読取手段を制御し、読み取りにより得られる複数の素子の出力パターンと記憶しておいた対応関係とに基づいてセットされた原稿のサイズを判定する。これにより、専用のセンサーを用いることなく、自動搬送される原稿を読み取る読取手段を用いて原稿のサイズを判定することができる。ここで、このような原稿読取装置としては、セットされた原稿のサイズに応じた読取範囲を設定して自動搬送される原稿を読み取るものなどが挙げられる。
【００１０】
自動搬送される原稿の読み取りに加えて、筐体の上部に形成され原稿の載置が可能な領域であって前記第１の領域に副走査方向に並んだ領域を第３の領域として原稿の読み取りが可能な本発明の原稿読取装置であって、前記自動搬送機構は、前記筐体の上部に開閉が可能に取り付けられる筐体カバーに組み込まれ、該筐体カバーの上面側に前記挿入部が形成されてなる機構であり、前記変位部材は、前記筐体カバーの下面側に配置され、前記連動機構の連動に伴って該筐体カバーの下面に沿って移動する部材であるものとすることもできる。自動搬送機構が筐体カバーに組み込まれるものにおいてサイズ判定用に専用のセンサーを設けると、筐体カバーと筐体とを繋ぐヒンジ機構内に配線を這わせなければならず配線が必要以上に長くなる場合が生じるから、本発明を適用する意義が高い。この態様の本発明の原稿読取装置において、前記第２の領域は、副走査方向における前記第１の領域と前記第３の領域との間に形成され、前記変位部材は、前記筐体カバーが閉状態にされた場合に、前記第２の領域上を主走査方向に移動する部材であるものとすることもできる。こうすれば、原稿のサイズを判定する際に、読取手段の第２の領域への移動量を比較的少なくすることができる。
【００１１】
また、本発明の原稿読取装置において、前記読取手段は、前記第１の領域に対して主走査方向に余裕をもった領域の読み取りが可能となるよう前記読取ユニットに前記複数の素子が配列され、該複数の素子が原稿の読み取りを行なう有効素子と該有効素子とは異なる非有効素子とに区画されてなる手段であり、前記第１の領域は、前記有効素子に対向する領域として形成され、前記第２の領域は、前記非有効素子に対向する領域として形成され、前記変位部材は、前記筐体カバーが閉状態にされた場合に、前記第２の領域上を主走査方向に移動する部材であり、前記連動機構は、前記変位部材の位置の変化が前記第２の領域の範囲内に収まるような減速比をもって前記エッジガイドのスライドを該変位部材に伝達する減速機構を有する機構であるものとすることもできる。ここで、読取手段には有効素子以外に非有効素子が配置されることが多いから、非有効素子を用いて原稿のサイズを効率よく判定することができる。
【００１２】
さらに、本発明の原稿読取装置において、前記変位部材は、前記読取手段との対向面に複数のマークが形成されてなる部材であり、前記連動機構は、前記変位部材の複数のマークのうち、前記エッジガイドのスライドに応じて前記第２の領域上に異なる数のマークが位置するよう連動する機構であり、前記記憶手段は、前記対応関係として、前記複数種の原稿のサイズ毎のサイズ情報と、前記第２の領域上に位置するマークの数とを対応付けて記憶する手段であり、前記原稿サイズ判定手段は、前記第２の領域の読み取りにより得られる前記変位部材のマークの数と前記対応関係とに基づいて原稿のサイズを判定する手段であるものとすることもできる。こうすれば、読み取りにより得られるマークの数から原稿のサイズを容易に判定することができる。あるいは、本発明の原稿読取装置において、前記記憶手段は、前記対応関係として、前記複数種の原稿のサイズ毎のサイズ情報と、前記第２の領域上における前記変位部材の先端のエッジ位置とを対応付けて記憶する手段であり、前記原稿サイズ判定手段は、前記第２の領域の読み取りにより得られる前記変位部材の先端のエッジ位置と前記対応関係とに基づいて原稿のサイズを判定する手段であるものとすることもできる。こうすれば、読み取りにより得られる変位部材の先端のエッジ位置から原稿のサイズを容易に判定することができる。
【図面の簡単な説明】
【００１３】
【図１】マルチファンクションプリンター２０の構成の概略を示す構成図。
【図２】筐体カバー２２を開けた状態のプリンター２０の外観図。
【図３】スキャナーユニット５０の構成の概略を示す構成図。
【図４】連動機構８２と変位部材８４の構成の概略を示す構成図。
【図５】連動機構８２と変位部材８４の構成の概略を示す構成図。
【図６】可動ガイド２９ｂのスライドに伴う変位部材８４の変位を示す説明図。
【図７】対応関係テーブル９４ａの一例を示す説明図。
【図８】原稿サイズ判定処理ルーチンの一例を示すフローチャート。
【図９】変形例の連動機構１８２と変位部材１８４の構成の概略を示す構成図。
【発明を実施するための形態】
【００１４】
次に、本発明の実施の形態を図面を用いて説明する。図１は、本発明の一実施形態であるマルチファンクションプリンター２０の構成の概略を示す構成図であり、図２は、筐体カバー２２を開けた状態のマルチファンクションプリンター２０の外観図であり、図３は、スキャナーユニット５０の構成の概略を示す構成図である。
【００１５】
本実施形態のマルチファンクションプリンター２０は、図１に示すように、筐体２１と、筐体２１の上面を開閉可能な筐体カバー２２とにより構成されている。このマルチファンクションプリンター２０は、カセット２３内にセットされている用紙を給紙し印刷して排紙トレイ２４に排紙するプリンターユニット４０と、原稿を光学的に読み取ってイメージデータを生成するスキャナーユニット５０と、メモリーカードスロット４４ａに挿入されたメモリーカードＭＣとの間でデータの入出力を司るメモリーカードコントローラー４４と、ユーザーによる各種操作が可能な操作パネル４５と、装置全体の制御を司るメインコントローラー９０とを備える。筐体２１の上面には、図２に示すように、原稿が載置可能なガラス板が配設されたフラットベッド状のＦＢ読取領域３２が設けられており、このＦＢ読取領域３２に載置された原稿を筐体カバー２２に設けられた原稿押さえ２２ａにより固定して、スキャナーユニット５０で光学的に読み取ることができるようになっている（以下、この読み取りを行なうモードをＦＢ読取モードと称する）。また、筐体カバー２２の上部には、原稿を１枚ずつ連続的に自動搬送するオートドキュメントフィーダーユニット６１（以下、ＡＤＦユニット６１）が内蔵されており（図３参照）、筐体２１の上面には、ＡＤＦユニット６１で自動搬送される原稿を読み取るためにガラス板が配設されたＡＤＦ読取領域３４が形成されている。そして、筐体カバー２１が閉じられている状態で、ＡＤＦユニット６１により自動搬送される原稿が筐体カバー２２の下面に形成された開口部２２ｃを通過すると、ＡＤＦ読取領域３４上を通過することになりスキャナーユニット５０で光学的に読み取ることができるようになっている（以下、この読み取りを行なうモードをＡＤＦ読取モードと称する）。なお、ＦＢ読取領域３２の副走査方向の端部には、いわゆるシェーディング補正を行なうための白基準板３６が設けられている。
【００１６】
プリンターユニット４０は、図１に示すように、プリンターＡＳＩＣ４１とプリンター機構４２とを備える。プリンターＡＳＩＣ４１は、プリンター機構４２を制御する集積回路であり、メインコントローラー９０から印刷指令を受けると、印刷指令の対象となる画像ファイルに基づいて用紙に画像を印刷するようプリンター機構４２を制御する。プリンター機構４２は、印刷ヘッドから用紙へインクを吐出することにより印刷を行なう周知のインクジェット方式のカラープリンター機構として構成されている。なお、プリンターユニット４０は、本発明の要旨をなさないから、これ以上の説明は省略する。
【００１７】
スキャナーユニット５０は、スキャナーＡＳＩＣ５１と、スキャナー機構６０とを備える。スキャナーＡＳＩＣ５１は、スキャナー機構６０を制御する集積回路であり、メインコントローラー９０からのスキャン指令を受けると、ＦＢ読取モードかＡＤＦ読取モードかのいずれかのモードで原稿をイメージデータとして読み取るようスキャナー機構６０を制御する。
【００１８】
スキャナー機構６０は、図３に示すように、ＡＤＦ挿入トレイ２６にセットされた原稿ＳをＡＤＦ読取領域３４に対向する開口部２２ｃまで自動搬送してＡＤＦ排紙トレイ２８に排紙するＡＤＦユニット６１と、ＦＢ読取領域３２あるいはＡＤＦ読取領域３４に光を照射する光源ユニット７１と、原稿Ｓからの反射光を受光して電荷として蓄えることにより原稿Ｓの画像を読み取るＣＩＳ７４と、光源ユニット７１とＣＩＳ７４とを搭載するキャリッジ７６と、キャリッジモーター７８ａと従動ローラー７８ｂとに架け渡されたベルト７９をキャリッジモーター７８ａで駆動することによりキャリッジ７６を副走査方向に往復動させる移動機構７７とを備える。また、ＡＤＦ挿入トレイ２６は、筐体カバー２２の上面側に取り付けられ、図１に示すように、セットされる原稿Ｓの幅方向の位置合わせに用いられる固定ガイド２９ａと、セットされる原稿Ｓの幅に合わせてスライド操作が可能な可動ガイド２９ｂとを有し、原稿Ｓの搬送（挿入）方向に直交する方向（図中矢印方向）のエッジをガイドするガイド２９が取り付けられている。このため、ＡＤＦユニット６１では、ガイド２９によるガイドを伴って原稿Ｓが自動搬送されることになる。また、このＡＤＦユニット６１では、複数種のサイズの原稿を搬送可能となっており、本実施形態では、Ａ３サイズ，Ｂ４サイズ，Ａ４サイズの３種類のサイズの原稿を搬送可能なものとして説明する。
【００１９】
光源ユニット７１は、図２に示すように、赤色光を点灯する赤ＬＥＤ７２Ｒと、緑色光を点灯する緑ＬＥＤ７２Ｇと、青色光を点灯する青ＬＥＤ７２Ｂの３色の光源を有しており、光源からの光を導光体７３を介してＦＢ読取領域３２あるいはＡＤＦ読取領域３４に照射する。ＣＩＳ７４は、図２中の拡大図に示すように、一ライン分の複数の受光素子（例えば、ＣＭＯＳ撮像素子）７５ａが主走査方向に配列されたセンサーチップ７５を主走査方向に複数並べたものとして構成されており、各色のＬＥＤ７２Ｒ，７２Ｇ，７２Ｂの点灯を順次切り替えながら反射光を一色ずつ読み取ることによりカラーイメージデータを生成する。
【００２０】
ＡＤＦユニット６１は、図３に示すように、ＡＤＦ挿入トレイ２６付近に配置されたピックアップローラー６３と、搬送経路６２に配置された複数の搬送ローラー６４と、ＡＤＦ排紙トレイ２８付近に配置された排紙ローラー６５とを備える。そして、ＡＤＦユニット６１では、各ローラー６３，６４，６５を搬送モーター６６で回転駆動させることにより、ＡＤＦ挿入トレイ２６にセットされた原稿Ｓを一枚ずつ取り込んで搬送経路６２上を自動搬送してＡＤＦ排紙トレイ２８に排紙する。
【００２１】
また、ＡＤＦユニット６１は、可動ガイド２９ｂの下側に固定される連動機構８２と、連動機構８２の下側に固定される変位部材８４とを備える。この連動機構８２と変位部材８４の構成の概略を図４，図５に示す。図４は、挿入トレイ２６を上方側から見た場合の連動機構８２と変位部材８４との構成の概略を示す。また、図５は、図４中左側から見た場合の構成の概略を示し、図５中の拡大図は、連動機構８２と変位部材８４とを立体的に示したものである。なお、図４，５では、連動機構８２と変位部材８４の位置関係の説明に必要な構成を合わせて図示するものとした。図示するように、連動機構８２は、可動ガイド２９ｂの下面に取り付けられ取付部分から主走査方向に延びるガイド取付部８２ａと、変位部材８４の上面に取り付けられ取付部分から垂直上方に延びる変位部材取付部８２ｂと、副走査方向に沿って配置されガイド取付部８２ａと変位部材取付部８２ｂとを接続する接続部８２ｃとから構成されている。なお、連動機構８２は、各部８２ａ〜８２ｃを個別の部材として形成してから一体的な部材（機構）となるよう接合してもよいし、当初から一体的な部材として形成してもよい。また、変位部材８４は、白色の平板状の部材として構成されており、その下面には黒色の３つのマーク８４ａが形成されている。ここで、図２に示すように、筐体カバー２２の原稿押さえ２２ａと開口部２２ｃとの間には、開口部２２ｂが形成されている。変位部材８４は、この開口部２２ｂ上を筐体カバー２２の下面に沿って移動するよう構成されている。また、筐体２１には、筐体カバー２２が閉状態とされた場合に開口部２２ｂと対向する位置にガラス板が配設された検出用領域３８が形成されている。このため、筐体カバー２２が閉状態とされている場合には、可動ガイド２９ｂのスライド操作に伴って連動機構８２の各部８２ａ〜８２ｃが一体的に連動し、これにより変位部材８４が移動して開口部２２ｂ上即ち検出用領域３８上でその位置が変化することになる。なお、図２に示すように、検出用領域３８は、副走査方向におけるＡＤＦ読取領域３４とＦＢ読取領域３２との間に形成されるものとなり、移動機構７７によりキャリッジ７６を検出用領域３８に対向する位置に移動させることで検出用領域３８をＣＩＳ７４により読み取ることができる。
【００２２】
ここで、可動ガイド２９ｂのスライド操作に伴う変位部材８４の変位の様子について説明する。図６は、可動ガイド２９ｂのスライドに伴う変位部材８４の変位を示す説明図である。図６（ａ）は、Ａ３サイズの原稿ＳがＡＤＦ挿入トレイ２６にセットされた場合の変位部材８４の変位を示している。同様に、図６（ｂ）は、Ｂ４サイズの原稿Ｓがセットされた場合の変位を示し、図６（ｃ）は、Ａ４サイズの原稿Ｓがセットされた場合の変位を示す。図示するように、変位部材８４の下面に形成された３つのマーク８４ａのうち検出用領域３８上に位置するマーク８４ａの数が、原稿Ｓのサイズに応じて異なるものとなっている。このように、本実施形態では、３種類の原稿Ｓのそれぞれの幅に応じて可動ガイド２９ｂがスライド操作された場合に、検出用領域３８上に位置するマーク８４ａの数がそれぞれ異なるものとなるよう連動機構８２を構成するものとした。
【００２３】
スキャナーＡＳＩＣ５１は、図３に示すように、各デバイスの制御を司る制御回路５２と、ＬＥＤ７２Ｒ，７２Ｇ，７２Ｂを個別にオンオフするＬＥＤ駆動回路５４と、ＣＩＳ７４で生じたアナログ信号を図示しない増幅器を介して入力してデジタル信号に変換するＡ／Ｄ変換器５６と、制御回路５２からの制御信号を受けてキャリッジモーター７８ａや搬送モーター６６を駆動するモーター駆動回路５８とを備える。
【００２４】
メモリーカードコントローラー４４は、筐体２１の図１中右下に配置されたメモリーカードスロット４４ａに挿入されたメモリーカードＭＣとの間でデータの入出力を行なうものである。このメモリカードコントローラー４４は、メモリカードスロット４４ａにメモリーカードＭＣが挿入されているときに、メモリーカードＭＣに保存されているファイルを読み出してメインコントローラー９０に送信したりメインコントローラー９０からの命令を入力し該命令に基づいてメモリーカードＭＣにデータを書き込んだりする。
【００２５】
操作パネル４５は、図１に示すように、筐体２１の中央に配置された表示部４６と、この表示部４６の左隣に配置された電源ボタン４７とを備える。表示部４６は、タッチパネル式の液晶ディスプレイとして構成されており、モードを選択するモードボタンや各種項目の選択・設定を行なう選択・設定ボタン，コピーや印刷を開始するスタートボタンなどを表示して、タッチ操作を受付可能となっている。ここで、モード選択ボタンにより選択可能なモードとしては、原稿をスキャンしてコピーするコピーモードや原稿をスキャンしデータ化してメモリーカードＭＣに保存するスキャンモード，メモリーカードＭＣに記憶された画像を用いて印刷する印刷モードなどがある。
【００２６】
メインコントローラー９０は、ＣＰＵ９２を中心とするマイクロプロセッサーとして構成されており、各種処理プログラムや各種データ、各種テーブルなどを記憶したＲＯＭ９４と、一時的にスキャンデータや印刷データを記憶するＲＡＭ９６と、操作パネル４５との通信を可能とするインターフェース（Ｉ／Ｆ）９８とを備える。このメインコントローラー９０は、プリンターユニット４０やスキャナーユニット５０からの各種動作信号や各種検出信号を入力したり、操作パネル４５のタッチ操作などに応じて発生する操作信号を入力したりする。また、メモリーカードＭＣから画像ファイルを読み出してメインコントローラー９０へ出力する指令をメモリーカードコントローラー４４に出力したり、画像データの印刷を実行するようプリンターユニット４０に指令を出力したり、操作パネル４５からのスキャン指令に基づいてＦＢ読取領域３２に載置された原稿やＡＤＦ挿入トレイ２６にセットされた原稿Ｓを画像データとして読み取るようスキャナーユニット４０に指令を出力したり、操作パネル４５に表示部４６の制御指令を出力したりする。ここで、本実施形態では、上述したように、可動ガイド２９ｂのスライドに応じて検出用領域３８上に位置する変位部材８４のマーク８４ａの数が異なるものとなっており、そのようなマーク８４ａの数と原稿Ｓのサイズ情報との関係を定めた対応関係テーブル９４ａをＲＯＭ９４に予め記憶しておくものとした。図７は、対応関係テーブル９４ａの一例を示す説明図である。
【００２７】
次に、こうして構成された本実施形態のマルチファンクションプリンター２０の動作、特に、ＡＤＦ読取モードによるスキャンに先立って原稿Ｓのサイズを判定する際の動作について説明する。図８はメインコントローラー９０により実行される原稿サイズ判定処理ルーチンの一例を示すフローチャートである。この処理は、例えば、モード選択ボタンによりコピーモードあるいはスキャンモードが選択され、ＡＤＦ挿入トレイ２６に原稿Ｓがセットされた状態でスタートボタンがタッチ操作されたときに実行される。
【００２８】
原稿サイズ判定処理ルーチンが実行されると、メインコントローラー９０のＣＰＵ９２は、まず、キャリッジ７６がサイズ判定処理位置まで移動するようキャリッジモーター７８ａを駆動制御する（ステップＳ１００）。ここで、サイズ判定処理位置は、ＣＩＳ７４により検出用領域３８を読み取ることができる位置として定められている。キャリッジ７６がサイズ判定処理位置まで移動すると、スキャン処理を実行して（ステップＳ１１０）、ＣＩＳ７４の各受光素子７５ａで得られる出力電圧の変化に基づいてマーク８４ａの数を検出する（ステップＳ１２０）。ここで、本実施形態では、白色の変位部材８４に黒色のマーク８４ａが形成されるものとしたから、マーク８４ａのエッジ部分で出力電圧が大きく変化することになる。このため、出力電圧を２値化して、その変化点をカウントすることによりマーク数を検出することができる。そして、検出したマーク数に基づいて、ＲＯＭ９４に記憶された対応関係テーブル９４ａを参照して原稿サイズを判定し（ステップＳ１３０）、本ルーチンを終了する。これにより、ＡＤＦユニット６１のＡＤＦ挿入トレイ２６にセットされている原稿Ｓのサイズを判定することができ、判定した原稿Ｓのサイズに基づいて読取領域を設定して原稿Ｓの読み取りが行なわれる。このように、変位部材８４に形成される３つのマーク８４ａのうち検出用領域３８上に位置するマーク８４ａの数に基づいて原稿サイズを判定するから、原稿Ｓのサイズを判定するためにＡＤＦユニット６１内に専用のセンサーを設ける必要がなく、センサー数を少なくすることができる。このため、メインコントローラー９０に必要とされる入力ポート数を少なくすることができ、リソースの消費を抑えることができる。また、原稿サイズの判定に際しては、検出したマーク数に基づいて予めＲＯＭ９４に記憶された対応関係テーブル９４ａを参照して判定するから、容易にサイズを判定することができる。さらに、検出用領域３８は、ＡＤＦ読取領域３４とＦＢ読取領域３２との副走査方向における間に形成したから、原稿サイズの判定のためにキャリッジ７６が移動する量を比較的少なくして、スムーズに原稿サイズを判定することができる。
【００２９】
ここで、本実施形態の構成要素と本発明の構成要素との対応関係を明らかにする。本実施形態のＡＤＦユニット６１が本発明の「自動搬送機構」に相当し、光源ユニット７１や読取ユニットとしてのＣＩＳ７４を搭載するキャリッジ７６が本発明の「読取手段」に相当し、可動ガイド２９ｂが「エッジガイド」に相当し、連動機構８２が「連動機構」に相当し、変位部材８４が「変位部材」に相当し、対応関係テーブル９４ａを記憶するＲＯＭ９４が「記憶手段」に相当し、図８の原稿サイズ判定処理ルーチンを実行するメインコントローラー９０が「原稿サイズ判定手段」に相当する。
【００３０】
以上説明した本実施形態のマルチファンクションプリンター２０によれば、ＡＤＦユニット６１のＡＤＦ挿入トレイ２６上をスライド操作が可能に設けられる可動ガイド２９ｂと、可動ガイド２９ｂの下面に固定されて可動ガイド２９ｂのスライドに伴って連動する連動機構８２と、連動機構８２の下面に固定されて筐体２１に形成される検出用領域３８との対向面に３つのマーク８４ａが形成された変位部材８４とを備え、ＲＯＭ９４に３種類の原稿のサイズ情報とＣＩＳ７４の複数の受光素子７５ａの出力パターンとの対応関係を対応関係テーブル９４ａとして予め記憶しておき、検出用領域３８を読み取るようＣＩＳ７４を制御して、読み取りにより得られる複数の受光素子７５ａの出力パターンと対応関係テーブル９４ａとに基づいてセットされた原稿Ｓのサイズを判定する。これにより、専用のセンサーを用いることなく、原稿読取用のセンサーを用いて原稿のサイズを判定することができる。また、検出したマーク数に基づいて原稿サイズを容易に判定することができる。さらに、検出用領域３８は、ＡＤＦ読取領域３４とＦＢ読取領域３２との副走査方向における間に形成したから、キャリッジ７６が移動する量を比較的少なくしてスムーズに原稿サイズを判定することができる。また、検出用領域３８をＡＤＦ読取領域３４およびＦＢ読取領域３２とは異なる領域としたことで、ＡＤＦ読取時およびＦＢ読取時のいずれの場合においても変位部材８４がＡＤＦ読取領域３４およびＦＢ読取領域３２には存在しないので、読取時の障害となることがない。
【００３１】
なお、本発明は上述した実施形態に何ら限定されることはなく、本発明の技術的範囲に属する限り種々の態様で実施し得ることはいうまでもない。
【００３２】
上述した実施形態では、ＡＤＦユニット６１がＡ３サイズ，Ｂ４サイズ，Ａ４サイズの３種類の原稿Ｓの自動搬送が可能なものとしたが、これに限られず、Ｂ５サイズやＡ５サイズの原稿Ｓの自動搬送が可能なものとしてもよい。また、搬送可能な種類も３種類に限られず、２種類としたり４種類以上としたりしてもよく、その場合、搬送可能な種類の数に応じた数のマーク１８４ａを変位部材１８４に形成するものとすればよい。
【００３３】
上述した実施形態では、変位部材８４に３つのマーク８４ａを形成しておき検出用領域３８上に位置するマーク数を検出して原稿サイズを判定するものとしたが、これに限られず、変位部材８４の変位状態を検出しそれに基づいて原稿サイズを判定するものであれば如何なるものとしてもよい。例えば、変位部材８４を白色で形成しその背後に位置する部材を黒色で形成しておき、変位部材８４の検出用領域３８上における変位として変位部材８４の先端のエッジ位置を検出し、検出した先端のエッジ位置に基づいて原稿サイズを判定するものなどとしてもよい。この場合、マーク数と原稿サイズとの関係を定めた対応関係テーブル９４ａの代わりに、変位部材１８４の先端のエッジ位置と原稿サイズとの関係を定めた対応関係テーブルをＲＯＭ９４に記憶しておくものなどとすればよい。こうすれば、読み取りにより得られる変位部材の先端のエッジ位置から原稿のサイズを容易に判定することができる。
【００３４】
上述した実施形態では、可動ガイド２９ｂのスライド動作を各部材８２ａ〜８２ｃにより一体的に構成された連動機構８２を介して変位部材８４に伝達するものとしたが、これに限られず、可動ガイド２９ｂのスライド動作を変位部材８４に機械的に伝達できるものであれば如何なる構造としてもよく、例えばギヤ機構を介して伝達するものなどとしてもよい。この場合の変形例の連動機構１８２と変位部材１８４の構成の概略を図９に示す。図９（ａ）は、挿入トレイ２６を上方側から見た場合の連動機構１８２と変位部材１８４との構成の概略を示すと共にＣＩＳ７４との位置関係のイメージを示し、図９（ｂ）は、連動機構１８２と変位部材１８４とを図９（ａ）中下側から見た場合の構成の概略を示す。なお、図９では、本実施形態と同じ構成については同じ符号を付してその説明を省略する。図示するように、連動機構１８２は、可動ガイド２９ｂの下面に取り付けられ取付部分から主走査方向に延びて側面に第１のラックギヤ１８２ｂが形成されるガイド取付部１８２ａと、第１のラックギヤ１８２ｂに噛み合う第１のピニオンギヤ１８２ｃと、第１のピニオンギヤ１８２ｃと軸１８２ｄを介して同軸上に配置される第２のピニオンギヤ１８２ｅと、変位部材１８４の上面に取り付けられ取付部分からガイド取付部１８２ａ側に延びて第２のピニオンギヤ１８２ｅに噛み合う第２のラックギヤ１８２ｆが形成される変位部材取付部１８２ｇとを備える。この連動機構１８２では、可動ガイド２９ｂのスライドに伴って第１のラックギヤ１８２ｂ（ガイド取付部１８２ａ）が移動して第１のピニオンギヤ１８２ｃが回転し、この第１のピニオンギヤ１８２ｃの回転に伴って第２のピニオンギヤ１８２ｅが回転して第２のラックギヤ１８２ｆ（変位部材取付部１８２ｇ）が可動ガイド２９ｂのスライドと逆方向に移動する。これにより、可動ガイド２９ｂのスライドに伴って変位部材１８４が移動することになる。なお、第２のピニオンギヤ１８２ｅを２つ設けるなどにより第２のラックギヤ１８２ｆ（変位部材取付部１８２ｇ）が可動ガイド２９ｂのスライドと同方向に移動するものとしてもよい。ここで、ＣＩＳ７４の複数の受光素子７５ａにより読取可能なエリアとしては、原稿の読み取りに用いられる受光素子７５ａから形成される有効エリアと、その有効エリアの両端の外側に位置する受光素子７５ａから形成される非有効エリアとに区画される。そして、この変形例では、非有効エリアの一方に対向してガラス板が配設された検出用領域１３８の主走査方向の範囲内を変位部材１８４の先端エッジ１８４ａが移動するよう連動機構１８２が構成されている。例えば、ＣＩＳ７４が1200dpiの解像度をもって原稿Ｓを読み取るものであり非有効エリアに約120個の受光素子７５ａが配列されているものとすると、非有効エリアの主走査方向の長さは2〜3mm程度となる。一方、可動ガイド２９ｂのスライド量は、Ａ３サイズの原稿幅297mmとＡ４サイズの原稿幅210mmとの差分から90mm程度は必要となる。これらのことから、変位部材１８４の先端エッジ１８４ａの変位を検出用領域１３８の範囲内で収めるためには、第１のピニオンギヤ１８２ｃと第２のピニオンギヤ１８２ｄとの減速比を1/30〜1/40などの値に定めるものとすればよい。そして、この変形例では、変位部材１８４の先端エッジ１８４ａの位置と原稿サイズとの関係を定めた対応関係テーブルを予めＲＯＭ９４に記憶しておくものとした。また、ＡＤＦ読取モードにおけるＣＩＳ７４（キャリッジ７６）の読取位置は、ＡＤＦ読取領域３４と検出用領域１３８との下方となることから、原稿Ｓのサイズを判定するためにＣＩＳ７４を移動させる必要がない。このため、この変形例においては、図８に示した原稿サイズ判定処理ルーチンのステップＳ１００の処理を省略して原稿サイズを判定するものとすればよく、非有効エリアの受光素子７５ａを用いて原稿サイズを効率よく判定することができる。なお、本実施形態と同様に、変位部材１８４の下面に３つのマークを形成して判定するものであってもよい。また、非有効エリアを用いて原稿サイズを判定する際に、この変形例のような減速比をもったギヤ機構を設けないものとしてもよい。ただし、その場合、変位部材１８４の移動量即ち可動ガイド２９ｂのスライド量に応じた非有効エリアを確保する必要があるため、この変形例のようにするものが好ましい。
【００３５】
上述した実施形態では、ガイド２９が有する２つのガイドのうち一方をスライド不能な固定ガイド２９ａとし他方をスライド可能な可動ガイド２９ｂとしたが、これに限られず、両方がスライド可能なものとしてもよい。
【００３６】
上述した実施形態では、光源ユニット５１としてＬＥＤ７２Ｒ，７２Ｇ，７２Ｂの３色のＬＥＤを用いるものとしたが、これに限定されるものではなく、光源ユニットとして白色ＬＥＤを用いるものとしたり、光源ユニットとして蛍光ランプを用いるものとしミラーやレンズにより光をセンサーに導くものとしてもよい。また、受光部も、ＣＩＳ７４に代えてＣＣＤイメージセンサーを用いるものとしてもよい。
【００３７】
上述した実施形態では、本発明をスキャナー機能以外にプリンター機能を備えるマルチファンクションプリンター２０に適用して説明したが、プリンター機能を備えないスキャナー単体機に適用するものとしてもよいし、プリンター機能以外にＦＡＸ機能を備えるものに適用するものとしてもよい。
【符号の説明】
【００３８】
２０  マルチファンクションプリンター、２１  筐体、２２  筐体カバー、２２ａ  原稿押さえ、２２ｂ，２２ｃ  開口部、２３  カセット、２４  排紙トレイ、２６  ＡＤＦ挿入トレイ、２８  ＡＤＦ排紙トレイ、２９  ガイド、２９ａ  固定ガイド、２９ｂ  可動ガイド、３２  ＦＢ読取領域、３４  ＡＤＦ読取領域、３６  白基準板、３８，１３８  検出用領域、４０  プリンターユニット、４１  プリンターＡＳＩＣ、４２  プリンター機構、４４  メモリーカードコントローラー、４４ａ  メモリーカードスロット、４５  操作パネル、４６  表示部、４７  電源ボタン、５０  スキャナーユニット、５１  スキャナーＡＳＩＣ、５２  制御回路、５４  ＬＥＤ駆動回路、５６  Ａ／Ｄ変換器、５８  モーター駆動回路、６０  スキャナー機構、６１  オートドキュメントフィーダー（ＡＤＦ）ユニット、６２  搬送経路、６３  ピックアップローラー、６４  搬送ローラー、６５  排紙ローラー、６６  搬送モーター、７１  光源ユニット、７２Ｒ，７２Ｇ，７２Ｂ  ＬＥＤ、７３  導光体、７４  ＣＩＳ、７５  センサーチップ、７５ａ  受光素子、７６  キャリッジ、７７  移動機構、７８ａ  キャリッジモーター、７８ｂ  従動ローラー、７９  ベルト、８２  連動機構、８２ａ  ガイド取付部、８２ｂ  変位部材取付部、８２ｃ  接続部、８４  変位部材、８４ａ  マーク、９０  メインコントローラー、９２  ＣＰＵ、９４  ＲＯＭ、９４ａ  対応関係テーブル、９６  ＲＡＭ、９８  インターフェース（Ｉ／Ｆ）、１８２  連動機構、１８２ａ  ガイド取付部、１８２ｂ  第１のラックギヤ、１８２ｃ  第１のピニオンギヤ、１８２ｄ  軸、１８２ｅ  第２のピニオンギヤ、１８２ｆ  第２のラックギヤ、１８２ｇ  変位部材取付部、１８４  変位部材、１８４ａ  先端エッジ、ＭＣ  メモリーカード、Ｓ  原稿。
【図１】
2012090085.tif 000003
【図２】
2012090085.tif 000004
【図３】
2012090085.tif 000005
【図４】
2012090085.tif 000006
【図５】
2012090085.tif 000007
【図６】
2012090085.tif 000008
【図７】
2012090085.tif 000009
【図８】
2012090085.tif 000010
【図９】
2012090085.tif 000011